(57)【要約】  ハンドオーバ制御方法は、ユーザ装置が接続するソースセルからターゲットセルに対して前記ユーザ装置の条件付きハンドオーバを行うためのハンドオーバ制御方法であって、前記ユーザ装置が、前記ソースセルから、前記ターゲットセルの候補である候補セルのリストと前記リスト中の候補セルごとに指定されるハンドオーバ条件とを含むハンドオーバ指令を受信することと、前記ユーザ装置が、前記受信されたハンドオーバ指令に含まれる前記リスト中の特定の候補セルに対応するハンドオーバ条件が満たされた場合に、前記ハンドオーバ条件が満たされた前記特定の候補セルへのハンドオーバを行うことと、を含む。
2020090440.tif 000002
【特許請求の範囲】
【請求項１】
ユーザ装置が接続するソースセルからターゲットセルに対して前記ユーザ装置の条件付きハンドオーバを行うためのハンドオーバ制御方法であって、
前記ユーザ装置が、前記ソースセルから、前記ターゲットセルの候補である候補セルのリストと前記リスト中の候補セルごとに指定されるハンドオーバ条件とを含むハンドオーバ指令を受信することと、
前記ユーザ装置が、前記受信されたハンドオーバ指令に含まれる前記リスト中の特定の候補セルに対応するハンドオーバ条件が満たされた場合に、前記ハンドオーバ条件が満たされた前記特定の候補セルへのハンドオーバを行うことと、を含む
ハンドオーバ制御方法。
【請求項２】
前記ハンドオーバ指令は、前記リスト中の候補セルごとに指定される無線通信設定をさらに含み、
前記ユーザ装置は、前記特定の候補セルへ接続した後、前記特定の候補セルに対応する前記無線通信設定を用いて前記特定の候補セルとの無線通信を行う
請求項１に記載のハンドオーバ制御方法。
【請求項３】
前記ソースセルを管理するソース基地局が、前記リスト中の候補セルを管理する候補基地局から前記無線通信設定を取得することと、
前記ソース基地局が、前記候補基地局から取得された前記無線通信設定を含む前記ハンドオーバ指令を前記ユーザ装置に送信することと、をさらに含む
請求項２に記載のハンドオーバ制御方法。
【請求項４】
前記ハンドオーバ指令は、前記リスト中の候補セルごとに指定されるタイミングアドバンス情報及び／又は上りリンク無線リソース情報をさらに含み、
前記ユーザ装置は、前記特定の候補セルへのハンドオーバを行う際に、前記特定の候補セルに対応する前記タイミングアドバンス情報及び／又は前記上りリンク無線リソース情報を用いて、前記特定の候補セルへのランダムアクセス信号の送信を省略するとともに上りリンクメッセージを前記特定の候補セルに送信する
請求項１に記載のハンドオーバ制御方法。
【請求項５】
前記ソースセルを管理するソース基地局が、前記リスト中の候補セルを管理する候補基地局から前記タイミングアドバンス情報及び／又は前記無線リソース情報を取得することと、
前記ソース基地局が、前記候補基地局から取得された前記タイミングアドバンス情報及び／又は前記無線リソース情報を含む前記ハンドオーバ指令を前記ユーザ装置に送信することと、をさらに含む
請求項４に記載のハンドオーバ制御方法。
【請求項６】
前記ソースセルを管理するソース基地局が、前記ユーザ装置がハンドオーバを行う前に、前記リスト中の候補セルを管理する候補基地局に対して、前記ユーザ装置の下りリンクデータの複製の転送を開始することをさらに含む
請求項１に記載のハンドオーバ制御方法。
【請求項７】
前記ハンドオーバ条件は、前記ソースセルの無線状態と比較される第１の閾値及び前記候補セルの無線状態と比較される第２の閾値のうち少なくとも１つを含む
請求項１に記載のハンドオーバ制御方法。
【請求項８】
前記ハンドオーバ指令は、当該ハンドオーバ指令が有効である時間を指定する情報をさらに含む
請求項１に記載のハンドオーバ制御方法。
【請求項９】
前記ユーザ装置が、前記特定の候補セルへのハンドオーバが完了したことを示すハンドオーバ通知を、前記ソースセルを管理するソース基地局に送信することと、
前記ソース基地局が、前記ハンドオーバ通知の受信に応じて、ハンドオーバキャンセルを前記リスト中の他の候補セルに送信することと、をさらに含む
請求項１に記載のハンドオーバ制御方法。
【請求項１０】
ユーザ装置であって、
前記ユーザ装置が接続するソースセルからターゲットセルに対して前記ユーザ装置の条件付きハンドオーバを行う場合において、
前記ソースセルから、前記ターゲットセルの候補である候補セルのリストと前記リスト中の候補セルごとに指定されるハンドオーバ条件とを含むハンドオーバ指令を受信する受信部と、
前記受信されたハンドオーバ指令に含まれる前記リスト中の特定の候補セルに対応するハンドオーバ条件が満たされた場合に、前記ハンドオーバ条件が満たされた前記特定の候補セルへのハンドオーバを行う制御部と、を備える
ユーザ装置。
【発明の詳細な説明】
【技術分野】
【０００１】
本開示は、ハンドオーバ制御方法、及びユーザ装置に関する。
【背景技術】
【０００２】
移動通信システムにおいて、ユーザ装置は、自身の移動に伴って、自身が接続するセルをソースセルからターゲットセルに変更するハンドオーバを行う。近年、ハンドオーバ中の通信中断時間の削減、及び無線状態が不安定な環境下におけるハンドオーバの信頼性の改善が望まれている。
【発明の概要】
【０００３】
第１の態様に係るハンドオーバ制御方法は、ユーザ装置が接続するソースセルからターゲットセルに対して前記ユーザ装置の条件付きハンドオーバを行うためのハンドオーバ制御方法であって、前記ユーザ装置が、前記ソースセルから、前記ターゲットセルの候補である候補セルのリストと前記リスト中の候補セルごとに指定されるハンドオーバ条件とを含むハンドオーバ指令を受信することと、前記ユーザ装置が、前記受信されたハンドオーバ指令に含まれる前記リスト中の特定の候補セルに対応するハンドオーバ条件が満たされた場合に、前記ハンドオーバ条件が満たされた前記特定の候補セルへのハンドオーバを行うことと、を含む。
【０００４】
第２の態様に係るユーザ装置は、前記ユーザ装置が接続するソースセルからターゲットセルに対して前記ユーザ装置の条件付きハンドオーバを行う場合において、前記ソースセルから、前記ターゲットセルの候補である候補セルのリストと前記リスト中の候補セルごとに指定されるハンドオーバ条件とを含むハンドオーバ指令を受信する受信部と、前記受信されたハンドオーバ指令に含まれる前記リスト中の特定の候補セルに対応するハンドオーバ条件が満たされた場合に、前記ハンドオーバ条件が満たされた前記特定の候補セルへのハンドオーバを行う制御部と、を備える。
【図面の簡単な説明】
【０００５】
【図１】一実施形態に係る移動通信システムの構成を示す図である。
【図２】一実施形態に係るユーザ装置の構成を示す図である。
【図３】一実施形態に係る基地局の構成を示す図である。
【図４】一実施形態に係る無線インターフェイスのプロトコルスタックの構成を示す図である。
【図５】一実施形態に係る無線フレームの構成を示す図である。
【図６】一実施形態に係る移動通信システムの動作シーケンスを示す図である。
【図７】一実施形態に係るハンドオーバ指令に含まれる情報（情報要素）を示す図である。
【発明を実施するための形態】
【０００６】
図面を参照しながら、一実施形態に係る移動通信システムについて説明する。図面の記載において、同一又は類似の部分には同一又は類似の符号を付している。
【０００７】
（移動通信システムの構成）
まず、一実施形態に係る移動通信システムの構成について説明する。図１は、一実施形態に係る移動通信システムであるＬＴＥ（Ｌｏｎｇ  Ｔｅｒｍ  Ｅｖｏｌｕｔｉｏｎ）システムの構成を示す図である。ＬＴＥシステムは、３ＧＰＰ（３ｒｄ  Ｇｅｎｅｒａｔｉｏｎ  Ｐａｒｔｎｅｒｓｈｉｐ  Ｐｒｏｊｅｃｔ）規格に基づくシステムである。
【０００８】
以下において、移動通信システムとしてＬＴＥシステムを例示するが、移動通信システムには３ＧＰＰ規格の第５世代（５Ｇ）システムが少なくとも部分的に適用されてもよい。
【０００９】
図１に示すように、ＬＴＥシステムは、ユーザ装置（ＵＥ：Ｕｓｅｒ  Ｅｑｕｉｐｍｅｎｔ）１００、無線アクセスネットワーク（Ｅ−ＵＴＲＡＮ：Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びコアネットワーク（ＥＰＣ：Ｅｖｏｌｖｅｄ  Ｐａｃｋｅｔ  Ｃｏｒｅ）２０を備える。
【００１０】
５Ｇシステムにおいては、無線アクセスネットワークはＮＧ−ＲＡＮ（Ｎｅｘｔ  Ｇｅｎｅｒａｔｉｏｎ  ＲＡＮ）と呼ばれ、コアネットワークは５ＧＣ（５Ｇ  Ｃｏｒｅ  Ｎｅｔｗｏｒｋ）と呼ばれる。
【００１１】
ＵＥ１００は、移動型の通信装置である。ＵＥ１００は、自身が在圏するセル（サービングセル）を管理するｅＮＢ２００との無線通信を行う。ＵＥ１００は、ユーザにより利用される装置であればどのような装置であっても構わないが、例えば、ＵＥ１００は、携帯電話端末（スマートフォンを含む）やタブレット端末、ノートＰＣ、センサ若しくはセンサに設けられる装置、車両若しくは車両に設けられる装置（Ｖｅｈｉｃｌｅ  ＵＥ）、飛行体若しくは飛行体に設けられる装置（Ａｅｒｉａｌ  ＵＥ）である。
【００１２】
Ｅ−ＵＴＲＡＮ１０は、基地局（ｅＮＢ：ｅｖｏｌｖｅｄ  Ｎｏｄｅ−Ｂ）２００を含む。ｅＮＢ２００は、基地局間インターフェイスであるＸ２インターフェイスを介して相互に接続される。ｅＮＢ２００は、１又は複数のセルを管理する。ｅＮＢ２００は、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる。「セル」は、ＵＥ１００との無線通信を行う機能又はリソースを示す用語としても用いられる。１つのセルは１つのキャリア周波数に属する。
【００１３】
５Ｇシステムにおいては、基地局はｇＮＢと呼ばれ、基地局間インターフェイスはＸｎインターフェイスと呼ばれる。なお、ｇＮＢがＥＰＣに接続することもでき、ｅＮＢが５ＧＣに接続することもでき、ｇＮＢとｅＮＢとが基地局間インターフェイス（Ｘｎインターフェイス、Ｘ２インターフェイス）を介して接続されることもできる。
【００１４】
ＥＰＣ２０は、モビリティ管理エンティティ（ＭＭＥ）及びサービングゲートウェイ（Ｓ−ＧＷ）３００を含む。ＭＭＥは、ＵＥ１００に対する各種モビリティ制御等を行う。ＭＭＥは、ＮＡＳ（Ｎｏｎ−Ａｃｃｅｓｓ  Ｓｔｒａｔｕｍ）シグナリングを用いてＵＥ１００と通信することにより、ＵＥ１００が在圏するトラッキングエリア（ＴＡ）の情報を管理する。トラッキングエリアは、複数のセルからなるエリアである。Ｓ−ＧＷは、データの転送制御を行う。ＭＭＥ及びＳ−ＧＷは、基地局−コアネットワーク間インターフェイスであるＳ１インターフェイスを介してｅＮＢ２００と接続される。
【００１５】
５Ｇシステムにおいては、ＵＥ１００に対する各種モビリティ制御等を行うコアネットワークエンティティはＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）と呼ばれ、データの転送制御を行うコアネットワークエンティティはＵＰＦ（Ｕｓｅｒ  Ｐｌａｎｅ  Ｆｕｎｃｔｉｏｎ）と呼ばれ、基地局−コアネットワーク間インターフェイスはＮＧインターフェイスと呼ばれる。
【００１６】
図２は、ＵＥ１００（ユーザ装置）の構成を示す図である。ＵＥ１００は、受信部１１０、送信部１２０、及び制御部１３０を備える。
【００１７】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００１８】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００１９】
制御部１３０は、ＵＥ１００における各種の制御を行う。制御部１３０は、少なくとも１つのプロセッサ及び少なくとも１つのメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００２０】
図３は、ｅＮＢ２００（基地局）の構成を示す図である。ｅＮＢ２００は、送信部２１０、受信部２２０、制御部２３０、及びバックホール通信部２４０を備える。
【００２１】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００２２】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００２３】
制御部２３０は、ｅＮＢ２００における各種の制御を行う。制御部２３０は、少なくとも１つのプロセッサ及び少なくとも１つのメモリを含む。メモリは、プロセッサにより実行されるプログラム、及びプロセッサによる処理に用いられる情報を記憶する。プロセッサは、ベースバンドプロセッサと、ＣＰＵと、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００２４】
バックホール通信部２４０は、基地局間インターフェイス（Ｘ２インターフェイス又はＸｎインターフェイス）を介して隣接ｅＮＢ又は隣接ｇＮＢと接続される。バックホール通信部２４０は、基地局−コアネットワーク間インターフェイス（Ｓ１インターフェイス又はＮＧインターフェイス）を介してＭＭＥ／Ｓ−ＧＷ３００又はＡＭＦ／ＵＰＦと接続される。
【００２５】
図４は、ＬＴＥシステムにおける無線インターフェイスのプロトコルスタックの構成を示す図である。図４に示すように、無線インターフェイスプロトコルは、ＯＳＩ参照モデルの第１レイヤ乃至第３レイヤに区分されている。第１レイヤは物理（ＰＨＹ）レイヤである。第２レイヤは、ＭＡＣ（Ｍｅｄｉｕｍ  Ａｃｃｅｓｓ  Ｃｏｎｔｒｏｌ）レイヤ、ＲＬＣ（Ｒａｄｉｏ  Ｌｉｎｋ  Ｃｏｎｔｒｏｌ）レイヤ、及びＰＤＣＰ（Ｐａｃｋｅｔ  Ｄａｔａ  Ｃｏｎｖｅｒｇｅｎｃｅ  Ｐｒｏｔｏｃｏｌ）レイヤを含む。第３レイヤは、ＲＲＣ（Ｒａｄｉｏ  Ｒｅｓｏｕｒｃｅ  Ｃｏｎｔｒｏｌ）レイヤを含む。ＰＨＹレイヤ、ＭＡＣレイヤ、ＲＬＣレイヤ、ＰＤＣＰレイヤ、及びＲＲＣレイヤは、ＡＳ（Ａｃｃｅｓｓ  Ｓｔｒａｔｕｍ）レイヤを構成する。
【００２６】
ＰＨＹレイヤは、符号化・復号、変調・復調、アンテナマッピング・デマッピング、及びリソースマッピング・デマッピングを行う。ＵＥ１００のＰＨＹレイヤとｅＮＢ２００のＰＨＹレイヤとの間では、物理チャネルを介してデータ及び制御情報が伝送される。
【００２７】
ＭＡＣレイヤは、データの優先制御、ハイブリッドＡＲＱ（ＨＡＲＱ）による再送処理、及びランダムアクセスプロシージャ等を行う。ＵＥ１００のＭＡＣレイヤとｅＮＢ２００のＭＡＣレイヤとの間では、トランスポートチャネルを介してデータ及び制御情報が伝送される。ｅＮＢ２００のＭＡＣレイヤはスケジューラを含む。スケジューラは、上下リンクのトランスポートフォーマット（トランスポートブロックサイズ、変調・符号化方式（ＭＣＳ））及びＵＥ１００への割当リソースブロックを決定する。
【００２８】
ＲＬＣレイヤは、ＭＡＣレイヤ及びＰＨＹレイヤの機能を利用してデータを受信側のＲＬＣレイヤに伝送する。ＵＥ１００のＲＬＣレイヤとｅＮＢ２００のＲＬＣレイヤとの間では、論理チャネルを介してデータ及び制御情報が伝送される。
【００２９】
ＰＤＣＰレイヤは、ヘッダ圧縮・伸張、及び暗号化・復号化を行う。
【００３０】
ＲＲＣレイヤは、制御情報を取り扱う制御プレーンでのみ定義される。ＵＥ１００のＲＲＣレイヤとｅＮＢ２００のＲＲＣレイヤとの間では、各種設定のためのＲＲＣシグナリングが伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードである。ＵＥ１００のＲＲＣとｅＮＢ２００のＲＲＣとの間に接続（ＲＲＣ接続）がない場合、ＵＥ１００はＲＲＣアイドルモードである。
【００３１】
ＲＲＣレイヤの上位に位置するＮＡＳレイヤは、セッション管理及びモビリティ管理等を行う。ＵＥ１００のＮＡＳレイヤとＭＭＥ３００ＣのＮＡＳレイヤとの間では、ＮＡＳシグナリングが伝送される。ＵＥ１００は、無線インターフェイスのプロトコル以外にアプリケーションレイヤ等の機能を有する。
【００３２】
５Ｇシステムにおいては、ユーザプレーンにおいてＰＤＣＰレイヤの上位にＳＤＡＰ（Ｓｅｒｖｉｃｅ  Ｄａｔａ  Ａｄａｐｔａｔｉｏｎ  Ｐｒｏｔｏｃｏｌ）レイヤが設けられる。ＳＤＡＰレイヤは、コアネットワークがＱｏＳ制御を行う単位であるＩＰフローとＡＳ（Ａｃｃｅｓｓ  Ｓｔｒａｔｕｍ）がＱｏＳ制御を行う単位である無線ベアラとのマッピングを行う。
【００３３】
図５は、ＬＴＥシステムにおいて用いられる無線フレームの構成を示す図である。無線フレームは、時間軸上で１０個のサブフレームで構成される。各サブフレームは、時間軸上で２個のスロットで構成される。各サブフレームの長さは１ｍｓである。各スロットの長さは０．５ｍｓである。各サブフレームは、周波数軸上で複数個のリソースブロック（ＲＢ）を含む。各サブフレームは、時間軸上で複数個のシンボルを含む。各リソースブロックは、周波数軸上で複数個のサブキャリアを含む。具体的には、１２個のサブキャリア及び１つのスロットにより１つのＲＢが構成される。１つのシンボル及び１つのサブキャリアにより１つのリソースエレメント（ＲＥ）が構成される。ＵＥ１００に割り当てられる無線リソース（時間・周波数リソース）のうち、周波数リソースはリソースブロックにより特定でき、時間リソースはサブフレーム（又はスロット）により特定できる。
【００３４】
下りリンクにおいて、各サブフレームの先頭数シンボルの区間は、主に下りリンク制御情報を伝送するための物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）として用いられる領域である。各サブフレームの残りの部分は、主に下りリンクデータを伝送するための物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）として用いることができる領域である。
【００３５】
上りリンクにおいて、各サブフレームにおける周波数方向の両端部は、主に上りリンク制御情報を伝送するための物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）として用いられる領域である。各サブフレームにおける残りの部分は、主に上りリンクデータを伝送するための物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）として用いることができる領域である。
【００３６】
（移動通信システムの動作）
次に、一実施形態に係る移動通信システムの動作について説明する。ＬＴＥシステムを例に挙げて説明するが、５Ｇシステムに適用してもよく、その場合、ｅＮＢをｇＮＢと読み替えてもよく、Ｘ２インターフェイスをＸｎインターフェイスと読み替えてもよい。
【００３７】
（１）条件付きハンドオーバの概要
一般的なハンドオーバプロシージャにおいて、ＵＥ１００のハンドオーバをｅＮＢ２００が決定する。例えば、ＵＥ１００は、ＵＥ１００とソースセルとの間の無線状態が悪化したこと、及び／又はＵＥ１００とターゲットセルとの間の無線状態が良化したことに応じて、無線状態に関する測定報告をソースセルに送信する。
【００３８】
なお、ＵＥ１００のハンドオーバとは、ＵＥ１００のサービングセルをソースセルからターゲットセルへ切替える動作である。以下において、ソースセル及びターゲットセルが互いに異なるｅＮＢに属している一例について説明するが、ソースセル及びターゲットセルが同じｅＮＢに属していてもよい。
【００３９】
ソースセルを管理するソースｅＮＢ２００は、ＵＥ１００から送信される測定報告に基づいてＵＥ１００のハンドオーバを決定し、ターゲットセルを管理するターゲットｅＮＢに対して、ＵＥコンテキストを含むハンドオーバ要求を送信する。そして、ソースｅＮＢ２００は、ターゲットｅＮＢからハンドオーバ要求確認応答を受信すると、ＵＥ１００に対してハンドオーバ指令を送信する。ＵＥ１００は、ハンドオーバ指令を受信すると、ターゲットｅＮＢへのハンドオーバを開始し、ターゲットｅＮＢに対してランダムアクセス信号を送信する。
【００４０】
これに対し、条件付きハンドオーバ（Ｃｏｎｄｉｔｉｏｎａｌ  Ｈａｎｄｏｖｅｒ）のプロシージャにおいて、ＵＥ１００のハンドオーバをＵＥ１００自身が決定する。具体的には、ソースｅＮＢ２００は、ターゲットセルの候補である候補セルを管理する候補ｅＮＢに対してハンドオーバ要求を予め送信する。ここで、候補ｅＮＢは、１つに限らず、複数であってもよい。このため、複数の候補ｅＮＢがハンドオーバ要求を受信し得る。
【００４１】
ソースｅＮＢ２００は、ＵＥ１００に対してハンドオーバ指令を予め送信する。ＵＥ１００は、ハンドオーバ指令を受信した後、ハンドオーバ条件が満たされるまでハンドオーバを保留し、ハンドオーバ条件が満たされたときにハンドオーバを開始して１つの候補ｅＮＢに対してランダムアクセス信号を送信する。
【００４２】
かかる条件付きハンドオーバは、ソースｅＮＢ２００が測定報告に基づくハンドオーバ決定を行わずに、ＵＥ１００自身でハンドオーバを決定する。このため、ＵＥ１００とソースｅＮＢ２００との間の無線状態が不安定である場合でも、無線状態に応じて即座にハンドオーバを行うことで、ハンドオーバの信頼性（ロバストネス）を改善できる。
【００４３】
一実施形態において、ＵＥ１００は、ソースセル（ソースｅＮＢ２００）から、ターゲットセルの候補である候補セルのリスト（以下、セルリストと呼ぶ）と当該セルリスト中の候補セルごとに指定されるハンドオーバ条件とを含むハンドオーバ指令を受信する。ＵＥ１００は、受信されたハンドオーバ指令に含まれるセルリスト中の特定の候補セルに対応するハンドオーバ条件が満たされた場合に、当該ハンドオーバ条件が満たされた特定の候補セルへのハンドオーバを行う。
【００４４】
このように、ハンドオーバ指令にセルリストを含めている。ソースｅＮＢ２００がＵＥ１００の移動方向を予測して移動先の１つのセルのみを候補セルとする方法も考えられるが、このような方法は、予測が外れたときに条件付きハンドオーバを行うことができないという問題がある。一実施形態においては、ハンドオーバ指令にセルリストを含めているため、そのような問題を解決しやすい。
【００４５】
また、候補セルごとにハンドオーバ条件を指定することにより、候補セルの属性（例えば、セルの種別やサイズ）に応じてきめ細かにハンドオーバ条件を指定できる。
【００４６】
なお、以下においてソースｅＮＢ２００を「ソースｅＮＢ２００Ｓ」と表記し、候補ｅＮＢを「候補ｅＮＢ２００Ｔ」と表記する。
【００４７】
（２）動作シーケンスの一例
図６は、一実施形態に係る移動通信システムの動作シーケンスの一例を示す図である。なお、図６の破線で示すシグナリングは必須ではない。
【００４８】
図６に示すように、ステップＳ１０１において、ＲＲＣコネクティッドモードのＵＥ１００は、ソースｅＮＢ２００Ｓのセル（ソースセル）との無線接続（ＲＲＣ接続）を確立している。
【００４９】
ソースｅＮＢ２００Ｓは、ＵＥ１００をハンドオーバする場合のターゲットセルの候補である候補セル（候補ｅＮＢ２００Ｔ）を決定する。候補ｅＮＢ２００Ｔは、ソースｅＮＢ２００Ｓに隣接する隣接ｅＮＢであってもよい。ソースｅＮＢ２００Ｓは、ＵＥ１００が自セルと接続した際に候補ｅＮＢ２００Ｔを決定してハンドオーバ要求を候補ｅＮＢ２００Ｔに送信してもよい。ソースｅＮＢ２００Ｓは、複数のｅＮＢ（複数の候補ｅＮＢ）に対してハンドオーバ要求を送信してもよい。ここでは、ソースｅＮＢ２００Ｓは、候補ｅＮＢ２００Ｔ１のセル及び候補ｅＮＢ２００Ｔ２のセルを候補セルとして決定することを想定する。以下において、候補ｅＮＢ２００Ｔ１のセルを候補セル＃１と呼び、候補ｅＮＢ２００Ｔ２のセルを候補セル＃２と呼ぶ。
【００５０】
ステップＳ１０２において、ソースｅＮＢ２００Ｓは、条件付きハンドオーバのためのハンドオーバ要求メッセージを基地局間インターフェイス（Ｘ２インターフェイス）上で候補ｅＮＢ２００Ｔ１に送信する。
【００５１】
また、ステップＳ１０３において、ソースｅＮＢ２００Ｓは、条件付きハンドオーバのためのハンドオーバ要求メッセージを基地局間インターフェイス（Ｘ２インターフェイス）上で候補ｅＮＢ２００Ｔ２に送信する。
【００５２】
ハンドオーバ要求メッセージは、ＵＥコンテキストを含む。ハンドオーバ要求メッセージは、条件付きハンドオーバ専用の新たなメッセージであってもよい。或いは、ハンドオーバ要求メッセージは、条件付きハンドオーバを示す情報（情報要素）を含む既存のハンドオーバ要求メッセージであってもよい。
【００５３】
候補ｅＮＢ２００Ｔ１及び候補ｅＮＢ２００Ｔ２のそれぞれは、ソースｅＮＢ２００Ｓからハンドオーバ要求メッセージを受信し、ハンドオーバ要求メッセージに含まれるＵＥコンテキストを保持する。
【００５４】
ステップＳ１０４において、候補ｅＮＢ２００Ｔ１は、ハンドオーバ要求確認応答（Ａｃｋ）メッセージをＸ２インターフェイス上でソースｅＮＢ２００Ｓに送信する。
【００５５】
候補ｅＮＢ２００Ｔ１が送信するハンドオーバ要求ＡＣＫメッセージは、候補ｅＮＢ２００Ｔ１により決定された無線通信設定を含む。無線通信設定は、ＵＥ１００が候補ｅＮＢ２００Ｔ１にハンドオーバした場合に候補ｅＮＢ２００Ｔ１との無線通信に適用すべき設定である。無線通信設定は、レイヤごとの設定を含んでもよい。例えば、無線通信設定は、ＰＤＣＰ設定、ＲＬＣ設定、ＭＡＣ設定、及びＰＨＹ設定のうち少なくとも１つを含んでもよい。
【００５６】
候補ｅＮＢ２００Ｔ１が送信するハンドオーバ要求ＡＣＫメッセージは、ＵＥ１００が候補ｅＮＢ２００Ｔ１に対するランダムアクセスプロシージャを省略するための情報を含んでもよい。このような情報は、タイミングアドバンス情報及び／又は上りリンク無線リソース情報を含む。タイミングアドバンス情報は、ＵＥ１００が候補ｅＮＢ２００Ｔ１に対して上りリンク送信を行う際に適用すべきタイミングアドバンス値（ＴＡ値）を示す情報である。上りリンク無線リソース情報は、ＵＥ１００が候補ｅＮＢ２００Ｔ１に対して上りリンク送信を行う際に用いるべき上りリンク無線リソース（時間・周波数リソース）を示す情報である。上りリンク無線リソース情報は、上りリンクグラント（ＵＬ  ｇｒａｎｔ）と呼ばれることがある。上りリンク無線リソース情報は、上りリンク送信に適用すべき変調・符号化方式（ＭＣＳ）を示す情報をさらに含んでもよい。
【００５７】
ステップＳ１０５において、候補ｅＮＢ２００Ｔ２は、ハンドオーバ要求ＡＣＫメッセージをＸ２インターフェイス上でソースｅＮＢ２００Ｓに送信する。
【００５８】
候補ｅＮＢ２００Ｔ２が送信するハンドオーバ要求ＡＣＫメッセージは、候補ｅＮＢ２００Ｔ１が送信するハンドオーバ要求ＡＣＫメッセージと同様な情報（情報要素）を含んでもよい。すなわち、候補ｅＮＢ２００Ｔ２が送信するハンドオーバ要求ＡＣＫメッセージは、候補ｅＮＢ２００Ｔ２により決定された無線通信設定を含む。候補ｅＮＢ２００Ｔ２が送信するハンドオーバ要求ＡＣＫメッセージは、ＵＥ１００が候補ｅＮＢ２００Ｔ２に対するランダムアクセスプロシージャを省略するための情報として、タイミングアドバンス情報及び／又は上りリンク無線リソース情報を含んでもよい。
【００５９】
ソースｅＮＢ２００Ｓは、これらのハンドオーバ要求ＡＣＫメッセージを受信することにより、各候補ｅＮＢ２００から無線通信設定を取得する。また、ソースｅＮＢ２００Ｓは、タイミングアドバンス情報及び／又は上りリンク無線リソース情報を取得する。
【００６０】
ステップＳ１０６において、ソースｅＮＢ２００Ｓは、条件付きハンドオーバに関する情報（情報要素）を含むハンドオーバ指令（例えば、ＲＲＣ  ｃｏｎｎｅｃｔｉｏｎ  ｒｅｃｏｎｆｉｇｕｒａｔｉｏｎメッセージ）をＵＥ１００に送信する。
【００６１】
図７は、一実施形態に係るハンドオーバ指令に含まれる情報（情報要素）の一例を示す図である。
【００６２】
図７に示すように、ソースｅＮＢ２００ＳがＵＥ１００に送信するハンドオーバ指令は、候補セルのリスト（セルリスト）を含む。セルリストは、各候補セル＃１及び＃２の識別子（例えば、物理セル識別子）からなるリストである。ここでは、セルリスト中の候補セルが２つである一例を示しているが、候補セルの数は３以上であってもよい。
【００６３】
ソースｅＮＢ２００ＳがＵＥ１００に送信するハンドオーバ指令は、セルリスト中の候補セルごとに指定されるハンドオーバ条件を含む。ハンドオーバ条件は、例えば、ＵＥ１００とソースｅＮＢ２００（ソースセル）との間の無線状態が悪化したこと、及び／又はＵＥ１００と候補ｅＮＢ（候補セル）との間の無線状態が良化したという条件である。ハンドオーバ条件は、ソースセルの無線状態と比較される第１の閾値及び候補セルの無線状態と比較される第２の閾値のうち少なくとも１つを含んでもよい。無線状態は、例えば、受信参照信号品質（ＲＳＲＰ、ＲＳＲＱ、ＲＳ−ＳＩＮＲ等）であってもよく、パケット再送回数（ＲＬＣ再送回数等）であってもよい。
【００６４】
また、ソースｅＮＢ２００ＳがＵＥ１００に送信するハンドオーバ指令は、セルリスト中の候補セルごとに指定される無線通信設定を含む。
【００６５】
さらに、ハンドオーバ指令は、セルリスト中の候補セルごとに指定されるタイミングアドバンス情報及び／又は上りリンク無線リソース情報をさらに含んでもよい。これらの情報が含まれる場合、ハンドオーバ指令は、対応する候補セルについてランダムアクセスプロシージャを省略可能であることを示す情報をさらに含んでもよい。
【００６６】
さらに、ハンドオーバ指令は、当該ハンドオーバ指令が有効である時間（有効期間）を指定する情報をさらに含んでもよい。
【００６７】
ステップＳ１０７及びＳ１０８において、ソースｅＮＢ２００は、ＵＥ１００がハンドオーバを行う前に、セルリスト中の候補セルを管理する候補ｅＮＢ２００Ｔ１及び候補ｅＮＢ２００Ｔ２に対して、ＵＥ１００の下りリンクデータの複製の転送を開始する。すなわち、ソースｅＮＢ２００は、下りリンクデータの複製の転送処理（いわゆる、データフォワーディング）を開始する。
【００６８】
ステップＳ１０９において、ＵＥ１００は、ソースｅＮＢ２００Ｓからハンドオーバ指令を受信すると、受信されたハンドオーバ指令に含まれるいずれかのハンドオーバ条件が満たされたか否かを判定する。例えば、ＵＥ１００は、ソースｅＮＢ２００Ｓ（ソースセル）及び各候補ｅＮＢ２００Ｔの無線状態を測定し、無線状態を閾値と比較することにより、ハンドオーバ条件が満たされたか否かを判定する。
【００６９】
ステップＳ１１０において、ＵＥ１００は、セルリスト中の特定の候補セルに対応するハンドオーバ条件が満たされた場合に、ハンドオーバ条件が満たされた特定の候補セルへのハンドオーバを行うことを決定する。ここでは、候補ｅＮＢ２００Ｔ１（候補セル＃１）に対応するハンドオーバ条件が満たされたと仮定して説明を進める。
【００７０】
ステップＳ１１１において、ＵＥ１００は、ハンドオーバの実行を示す通知（ハンドオーバ通知）をソースｅＮＢ２００Ｓに送信してもよい。ソースｅＮＢ２００Ｓは、かかる通知に基づいて、ＵＥ１００がハンドオーバを実行することを把握する。ハンドオーバ実行通知は、ＵＥ１００がハンドオーバ先として選択したセルを示す情報を含んでもよい。
【００７１】
ステップＳ１１２において、ＵＥ１００は、ハンドオーバ先として選択した候補セル＃１（候補ｅＮＢ２００Ｔ１）に対してランダムアクセスプロシージャを開始し、当該セルに対してランダムアクセス信号を送信する。
【００７２】
ステップＳ１１３において、候補ｅＮＢ２００Ｔ１は、ランダム信号に基づいてタイミングアドバンスを算出するとともに、ＵＥ１００に割り当てる上りリンク無線リソースを決定し、算出したタイミングアドバンス及び決定した上りリンク無線リソースの情報を含むランダムアクセス応答をＵＥ１００に送信する。
【００７３】
ここで、候補セル＃１に対応するタイミングアドバンス情報及び／又は上りリンク無線リソース情報（ＵＬ  ｇｒａｎｔ）がハンドオーバ指令に含まれている場合、ＵＥ１００は、候補セル＃１（候補ｅＮＢ２００Ｔ１）に対するランダムアクセスプロシージャ、すなわち、ランダムアクセス信号の送信（ステップＳ１１２）及びランダムアクセス応答の受信（ステップＳ１１３）を省略してもよい。ここでは、ＵＥ１００がランダムアクセスプロシージャを省略したと仮定して説明を進める。
【００７４】
ステップＳ１１４において、ＵＥ１００は、候補セル＃１（候補ｅＮＢ２００Ｔ１）へのハンドオーバを行う際に、候補セル＃１に対応するタイミングアドバンス情報及び／又は上りリンク無線リソース情報を用いて、候補セル＃１へのランダムアクセス信号の送信を省略するとともに、上りリンクメッセージを候補セル＃１に送信する。ここで、上りリンクメッセージは、ＲＲＣメッセージの一種であるＲＲＣ再設定完了メッセージであってもよい。これにより、ＵＥ１００と候補セル＃１（候補ｅＮＢ２００Ｔ１）との間の接続処理が完了し、ハンドオーバが完了する。
【００７５】
ステップＳ１１５において、ＵＥ１００は、ハンドオーバが完了すると、ハンドオーバ指令に含まれていた候補セル＃１（候補ｅＮＢ２００Ｔ１）に対応する無線通信設定を用いて、候補セル＃１（候補ｅＮＢ２００Ｔ１）とデータを送受信する。候補ｅＮＢ２００Ｔ１は、ＵＥ１００からデータフォワーディングにより予め転送された下りリンクデータをＵＥ１００に送信してもよい。
【００７６】
ステップＳ１１６において、候補ｅＮＢ２００Ｔ１は、ＵＥ１００が候補ｅＮＢ２００Ｔ１にハンドオーバ（接続）したことを示すハンドオーバ通知をＸ２インターフェイス上でソースｅＮＢ２００Ｓに送信してもよい。
【００７７】
ステップＳ１１７において、ソースｅＮＢ２００Ｓは、候補ｅＮＢ２００Ｔ１からのハンドオーバ通知の受信に応じて、ハンドオーバキャンセルを候補ｅＮＢ２００Ｔ２に通知してもよい。候補ｅＮＢ２００Ｔ２は、ハンドオーバキャンセルの受信に応じて、ハンドオーバ要求（ステップＳ１０３）に含まれ且つ候補ｅＮＢ２００Ｔ２が保持していたＵＥコンテキストを破棄してもよい。
【００７８】
以上説明したように、ＵＥ１００が接続するソースセルからターゲットセルに対してＵＥ１００の条件付きハンドオーバを行うためのハンドオーバ制御方法において、ＵＥ１００は、ソースセルから、ターゲットセルの候補である候補セルのリスト（セルリスト）とセルリスト中の候補セルごとに指定されるハンドオーバ条件とを含むハンドオーバ指令を受信する。ＵＥ１００は、受信されたハンドオーバ指令に含まれるセルリスト中の特定の候補セル（候補セル＃１）に対応するハンドオーバ条件が満たされた場合に、ハンドオーバ条件が満たされた特定の候補セル（候補セル＃１）へのハンドオーバを行う。
【００７９】
このように、候補セルごとにハンドオーバ条件を指定することにより、候補セルの属性（例えば、セルの種別やサイズ）に応じてきめ細かにハンドオーバ条件を指定できる。
【００８０】
一実施形態において、ハンドオーバ指令は、セルリスト中の候補セルごとに指定される無線通信設定をさらに含む。ＵＥ１００は、特定の候補セル（候補セル＃１）へ接続した後、特定の候補セル（候補セル＃１）に対応する無線通信設定を用いて特定の候補セル（候補セル＃１）との無線通信を行う。
【００８１】
一実施形態において、ソースセルを管理するソースｅＮＢ２００Ｓが、セルリスト中の候補セルを管理する候補ｅＮＢ２００Ｔから無線通信設定を取得する。ソースｅＮＢ２００Ｓは、候補ｅＮＢ２００Ｔから取得された無線通信設定を含むハンドオーバ指令をＵＥ１００に送信する。
【００８２】
これにより、条件付きハンドオーバの後において適切に無線通信を行うことができる。
【００８３】
一実施形態において、ハンドオーバ指令は、セルリスト中の候補セルごとに指定されるタイミングアドバンス情報及び／又は上りリンク無線リソース情報をさらに含む。ＵＥ１００は、特定の候補セル（候補セル＃１）へのハンドオーバを行う際に、特定の候補セル（候補セル＃１）に対応するタイミングアドバンス情報及び／又は上りリンク無線リソース情報を用いて、特定の候補セル（候補セル＃１）へのランダムアクセス信号の送信を省略するとともに上りリンクメッセージを特定の候補セル（候補セル＃１）に送信する。
【００８４】
一実施形態において、ソースセルを管理するソースｅＮＢ２００Ｓは、セルリスト中の候補セルを管理する候補ｅＮＢ２００Ｔからタイミングアドバンス情報及び／又は無線リソース情報を取得する。ソースｅＮＢ２００Ｓは、候補ｅＮＢ２００Ｔから取得されたタイミングアドバンス情報及び／又は無線リソース情報を含むハンドオーバ指令をＵＥ１００に送信する。
【００８５】
これにより、条件付きハンドオーバの際にランダムアクセスプロシージャを省略できる。
【００８６】
一実施形態において、ソースセルを管理するソースｅＮＢ２００Ｓは、ＵＥ１００がハンドオーバを行う前に、セルリスト中の候補セルを管理する候補ｅＮＢ２００Ｔに対して、ユーザ装置の下りリンクデータの複製の転送を開始する。
【００８７】
これにより、条件付きハンドオーバの後に候補ｅＮＢ２００Ｔが下りリンクデータ送信を速やかに開始できる。
【００８８】
（その他の実施形態）
上述した実施形態において、上りリンク無線リソース情報を含むハンドオーバ指令をソースｅＮＢ２００ＳからＵＥ１００に送信する一例について説明した。しかしながら、各候補ｅＮＢ２００Ｔが上りリンク無線リソース情報をＳＩＢ（Ｓｙｓｔｅｍ  Ｉｎｆｏｒｍａｔｉｏｎ  Ｂｌｏｃｋ）によりブロードキャストしている場合、ＵＥ１００は、各候補ｅＮＢ２００Ｔから上りリンク無線リソース情報を受信し、受信された上りリンク無線リソース情報に基づいて、ランダムアクセスプロシージャ（図６のステップＳ１１２及びＳ１１３）を省略するとともに、上りリンクメッセージを送信（図６のステップＳ１１４）してもよい。
【００８９】
ＵＥ１００（又はｅＮＢ２００）が行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【００９０】
また、ＵＥ１００（又はｅＮＢ２００）が行う各処理を実行する回路を集積化し、ＵＥ１００（又はｅＮＢ２００）の少なくとも一部を半導体集積回路（チップセット、ＳｏＣ）として構成してもよい。
【００９１】
以上、図面を参照して一実施形態について詳しく説明したが、具体的な構成は上述のものに限られることはなく、要旨を逸脱しない範囲内において様々な設計変更等をすることが可能である。
【００９２】
本願は、米国仮出願第６２／７５２５２４号（２０１８年１０月３０日出願）の優先権を主張し、その内容の全てが本願明細書に組み込まれている。
【図１】
2020090440.tif 000003
【図２】
2020090440.tif 000004
【図３】
2020090440.tif 000005
【図４】
2020090440.tif 000006
【図５】
2020090440.tif 000007
【図６】
2020090440.tif 000008
【図７】
2020090440.tif 000009
【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
ユーザ装置が接続するソースセルからターゲットセルに対して前記ユーザ装置の条件付きハンドオーバを行うためのハンドオーバ制御方法であって、
前記ユーザ装置が、前記ソースセルから、前記ターゲットセルの候補である候補セルのリストと前記リスト中の候補セルごとに指定されるハンドオーバ条件とを含むＲＲＣメッセージを受信することと、
前記ユーザ装置が、前記受信されたＲＲＣメッセージに含まれる前記リスト中の特定の候補セルに対応するハンドオーバ条件が満たされた場合に、前記ハンドオーバ条件が満たされた前記特定の候補セルへのハンドオーバを行うことと、を含み、
前記ＲＲＣメッセージは、前記ハンドオーバ条件が満たされた場合に用いられる設定をさらに含み、
前記設定は、ＲＬＣ設定及びＭＡＣ設定のうち少なくとも１つを含む、
ハンドオーバ制御方法。
【請求項２】
前記ソースセルを管理するソース基地局が、前記リスト中の候補セルを管理する候補基地局から前記設定を取得することと、
前記ソース基地局が、前記候補基地局から取得された前記設定を含む前記ＲＲＣメッセージを前記ユーザ装置に送信することと、をさらに含む
請求項１に記載のハンドオーバ制御方法。
【請求項３】
前記ソースセルを管理するソース基地局が、前記ユーザ装置がハンドオーバを行う前に、前記リスト中の候補セルを管理する候補基地局に対して、前記ユーザ装置の下りリンクデータの複製の転送を開始することをさらに含む
請求項１に記載のハンドオーバ制御方法。
【請求項４】
前記ＲＲＣメッセージは、前記ソースセルの無線状態と比較される第１の閾値及び前記候補セルの無線状態と比較される第２の閾値を含み、
前記ソースセルとの無線状態が前記第１閾値よりも悪化し、且つ前記候補セルとの無線状態が前記第２閾値よりも良化した場合に、前記ハンドオーバ条件は満たされる、
請求項１に記載のハンドオーバ制御方法。
【請求項５】
前記特定の候補セルが、前記ハンドオーバが完了したことを示すハンドオーバ通知を、前記ソースセルを管理するソース基地局に送信することと、
前記ソース基地局が、前記ハンドオーバ通知の受信に応じて、ハンドオーバキャンセルを前記リスト中の他の候補セルに送信することと、をさらに含む
請求項１に記載のハンドオーバ制御方法。
【請求項６】
前記ユーザ装置は、前記特定の候補セルへ接続した後、前記特定の候補セルに対応する前記設定を用いて前記特定の候補セルとの無線通信を行う
請求項１に記載のハンドオーバ制御方法。
【請求項７】
前記ＲＲＣメッセージは、前記リスト中の候補セルごとに指定されるタイミングアドバンス情報及び／又は上りリンク無線リソース情報をさらに含み、
前記ユーザ装置は、前記特定の候補セルへのハンドオーバを行う際に、前記特定の候補セルに対応する前記タイミングアドバンス情報及び／又は前記上りリンク無線リソース情報を用いて、前記特定の候補セルへのランダムアクセス信号の送信を省略するとともに上りリンクメッセージを前記特定の候補セルに送信する
請求項１に記載のハンドオーバ制御方法。
【請求項８】
前記ソースセルを管理するソース基地局が、前記リスト中の候補セルを管理する候補基地局から前記タイミングアドバンス情報及び／又は前記無線リソース情報を取得することと、
前記ソース基地局が、前記候補基地局から取得された前記タイミングアドバンス情報及び／又は前記無線リソース情報を含む前記ＲＲＣメッセージを前記ユーザ装置に送信することと、をさらに含む
請求項７に記載のハンドオーバ制御方法。
【請求項９】
前記ＲＲＣメッセージは、当該ＲＲＣメッセージが有効である時間を指定する情報をさらに含む
請求項１に記載のハンドオーバ制御方法。
【請求項１０】
ユーザ装置であって、
前記ユーザ装置が接続するソースセルからターゲットセルに対して前記ユーザ装置の条件付きハンドオーバを行う場合において、
前記ソースセルから、前記ターゲットセルの候補である候補セルのリストと前記リスト中の候補セルごとに指定されるハンドオーバ条件とを含むＲＲＣメッセージを受信する受信部と、
前記受信されたＲＲＣメッセージに含まれる前記リスト中の特定の候補セルに対応するハンドオーバ条件が満たされた場合に、前記ハンドオーバ条件が満たされた前記特定の候補セルへのハンドオーバを行う制御部と、を備え、
前記ＲＲＣメッセージは、前記ハンドオーバ条件が満たされた場合に用いられる設定をさらに含み、
前記設定は、ＲＬＣ設定及びＭＡＣ設定のうち少なくとも１つを含む
ユーザ装置。
【請求項１１】
ユーザ装置を制御するプロセッサであって、
前記ユーザ装置が接続するソースセルからターゲットセルに対して前記ユーザ装置の条件付きハンドオーバを行う場合において、
前記ソースセルから、前記ターゲットセルの候補である候補セルのリストと前記リスト中の候補セルごとに指定されるハンドオーバ条件とを含むＲＲＣメッセージを受信する処理と、
前記受信されたＲＲＣメッセージに含まれる前記リスト中の特定の候補セルに対応するハンドオーバ条件が満たされた場合に、前記ハンドオーバ条件が満たされた前記特定の候補セルへのハンドオーバを行う処理と、を実行し、
前記ＲＲＣメッセージは、前記ハンドオーバ条件が満たされた場合に用いられる設定をさらに含み、
前記設定は、ＲＬＣ設定及びＭＡＣ設定のうち少なくとも１つを含む
プロセッサ。
【国際調査報告】
2020090440.tif 000010
2020090440.tif 000011
2020090440.tif 000012
2020090440.tif 000013